(57)【要約】  本発明の実施例は、信号干渉回避方法およびネットワーク機器を開示し、端末内部の自己干渉問題を解決する。当該方法において、第１ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信することを含む。
2020537414.tif 000002
【特許請求の範囲】
【請求項１】
第１ネットワーク機器に応用される信号干渉回避方法において、
前記第１ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信することを含む、信号干渉回避方法。
【請求項２】
前記端末機器で自己干渉が生じる前に、第２時間領域リソースおよび／または第２周波数領域リソースのリソース指示情報を前記第２ネットワーク機器に送信することをさらに含む、請求項１に記載の方法。
【請求項３】
前記第２時間領域リソースおよび／または第２周波数領域リソースは、
前記第１ネットワーク機器で利用可能でかつ第２ネットワーク機器で利用不可のリソース、または、
第２ネットワーク機器で利用可能でかつ第１ネットワーク機器で利用不可のリソース、または、
前記第１ネットワーク機器と前記第２ネットワーク機器の両方で利用可能なリソースである、請求項２に記載の方法。
【請求項４】
前記第２ネットワーク機器から前記第１干渉回避指示情報へのフィードバック情報を受信することをさらに含み、
ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含み、
前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含み、
前記第２ネットワーク機器が前記第２時間領域リソースおよび／または第２周波数領域リソースの利用に同意する場合、前記フィードバック情報は、前記第１干渉回避指示情報に同意する情報を含む、請求項３に記載の方法。
【請求項５】
前記干渉回避推奨情報を受信すると、
前記干渉回避推奨情報に基づき、第４時間領域リソースおよび／または第４周波数領域リソースのリソース指示情報、前記端末機器が位置するセルに対応する時間領域リソースおよび／または周波数領域リソースのリソース指示情報のうちの少なくとも１つを含む第２干渉回避指示情報を決定することと、
前記第２ネットワーク機器が前記第４時間領域リソースおよび／または第４周波数領域リソースによる前記端末機器との通信を決定するための前記第２干渉回避指示情報を前記第２ネットワーク機器に送信することとをさらに含む、請求項４に記載の方法。
【請求項６】
前記第１干渉回避指示情報は、前記第１時間領域リソースおよび／または第１周波数領域リソースのリソース指示情報をさらに含み、
前記第２ネットワーク機器に第１干渉回避指示情報を送信する前に、
前記端末機器で自己干渉が生じる場合で前記第２ネットワーク機器に利用される第５時間領域リソースおよび／または第５周波数領域リソースを決定することと、
前記第５時間領域リソースおよび／または前記第５周波数領域リソースに基づき、前記第１時間領域リソースおよび／または第１周波数領域リソースを決定することとをさらに含む、請求項１に記載の方法。
【請求項７】
前記第１干渉回避指示情報は、前記端末機器が位置するセルの識別情報、前記セルで前記端末機器に対応する時間領域リソースおよび／または周波数領域リソースのリソース指示情報、前記第１時間領域リソースおよび／または第１周波数領域リソースによる前記端末機器との通信の開始時間、前記第１時間領域リソースおよび／または第１周波数領域リソースによる前記端末機器との通信の停止時間のうちの少なくとも１つをさらに含む、請求項３または６に記載の方法。
【請求項８】
前記第２ネットワーク機器に第１干渉回避指示情報を送信した後に、
前記端末機器の自己干渉が消滅しまたは弱まると、前記第２ネットワーク機器が前記第１時間領域リソースおよび／または第１周波数領域リソースによる前記端末機器との通信の停止を決定するための回避停止指示情報を前記第２ネットワーク機器に送信することをさらに含む、請求項１に記載の方法。
【請求項９】
第２ネットワーク機器に応用される信号干渉回避方法において、
第１ネットワーク機器からの第１干渉回避指示情報であって、前記第１ネットワーク機器と前記第２ネットワーク機器の両方に接続される端末機器で自己干渉が生じる場合に前記第１ネットワーク機器から送信され、前記端末機器の識別情報を含む第１干渉回避指示情報を、受信することと、
前記第１干渉回避指示情報に基づき、第１時間領域リソースおよび／または第１周波数領域リソースを利用して前記端末機器と通信することとを含む、信号干渉回避方法。
【請求項１０】
第１ネットワーク機器からの第１干渉回避指示情報を受信する前に、
前記第１ネットワーク機器から送信された第２時間領域リソースおよび／または第２周波数領域リソースのリソース指示情報を受信することをさらに含む、請求項９に記載の方法。
【請求項１１】
前記第２時間領域リソースおよび／または第２周波数領域リソースは、
前記第１ネットワーク機器で利用可能でかつ第２ネットワーク機器で利用不可のリソース、または、
第２ネットワーク機器で利用可能でかつ第１ネットワーク機器で利用不可のリソース、または、
前記第１ネットワーク機器と前記第２ネットワーク機器の両方で利用可能なリソースである、請求項１０に記載の方法。
【請求項１２】
前記第１ネットワーク機器からの第１干渉回避指示情報を受信した後に、
前記第１干渉回避指示情報へのフィードバック情報を前記第１ネットワーク機器に送信することをさらに含み、
ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含み、
前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含み、
前記第２ネットワーク機器が前記第２時間領域リソースおよび／または第２周波数領域リソースの利用に同意する場合、前記フィードバック情報は、前記第１干渉回避指示情報に同意する情報を含む、請求項１１に記載の方法。
【請求項１３】
前記干渉回避推奨情報を含むフィードバック情報を前記第１ネットワーク機器に送信した後に、
前記第１ネットワーク機器から前記干渉回避推奨情報に基づいて決定した第２干渉回避指示情報であって、第４時間領域リソースおよび／または第４周波数領域リソースのリソース指示情報、前記セルで前記端末機器に対応する時間領域リソースおよび／または周波数領域リソースのリソース指示情報のうちの少なくとも１つを含む第２干渉回避指示情報を受信することと、
前記第２干渉回避指示情報に基づき、前記第４時間領域リソースおよび／または第４周波数領域リソースを利用して前記端末機器と通信することとをさらに含む、請求項１２に記載の方法。
【請求項１４】
前記第１干渉回避指示情報は、前記第１時間領域リソースおよび／または第１周波数領域リソースのリソース指示情報をさらに含む、請求項９に記載の方法。
【請求項１５】
前記第１干渉回避指示情報は、前記端末機器が位置するセルの識別情報、前記セルで前記端末機器に対応する時間領域リソースおよび／または周波数領域リソースのリソース指示情報、前記第１時間領域リソースおよび／または第１周波数領域リソースによる前記端末機器との通信の開始時間、前記第１時間領域リソースおよび／または第１周波数領域リソースによる前記端末機器との通信の停止時間のうちの少なくとも１つをさらに含む、請求項１１または１４に記載の方法。
【請求項１６】
前記第１ネットワーク機器からの回避停止指示情報を受信すると、前記第１時間領域リソースおよび／または第１周波数領域リソースによる前記端末機器との通信を停止することをさらに含む、請求項９に記載の方法。
【請求項１７】
ネットワーク機器であって、
前記ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信するための第１送信モジュールを含む、ネットワーク機器。
【請求項１８】
前記端末機器で自己干渉が生じる前に、第２時間領域リソースおよび／または第２周波数領域リソースのリソース指示情報を前記第２ネットワーク機器に送信するための第２送信モジュールをさらに含む、請求項１７に記載のネットワーク機器。
【請求項１９】
前記第２時間領域リソースおよび／または第２周波数領域リソースは、
前記ネットワーク機器で利用可能でかつ第２ネットワーク機器で利用不可のリソース、または、
前記第２ネットワーク機器で利用可能でかつ第１ネットワーク機器で利用不可のリソース、または、
前記第１ネットワーク機器と前記第２ネットワーク機器の両方で利用可能なリソースである、請求項１８に記載のネットワーク機器。
【請求項２０】
前記第２ネットワーク機器から前記第１干渉回避指示情報へのフィードバック情報を受信するための受信モジュールをさらに含み、
ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含み、
前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含み、
前記第２ネットワーク機器が前記第２時間領域リソースおよび／または第２周波数領域リソースの利用に同意する場合、前記フィードバック情報は、前記第１干渉回避指示情報に同意する情報を含む、請求項１９に記載のネットワーク機器。
【請求項２１】
前記干渉回避推奨情報を受信すると、前記干渉回避推奨情報に基づき、第４時間領域リソースおよび／または第４周波数領域リソースのリソース指示情報、前記端末機器が位置するセルに対応する時間領域リソースおよび／または周波数領域リソースのリソース指示情報のうちの少なくとも１つを含む第２干渉回避指示情報を決定するための第１特定モジュールと、
前記第２ネットワーク機器が前記第４時間領域リソースおよび／または第４周波数領域リソースによる前記端末機器との通信を決定するための前記第２干渉回避指示情報を前記第２ネットワーク機器に送信するための第３送信モジュールとをさらに含む、請求項２０に記載のネットワーク機器。
【請求項２２】
前記第１干渉回避指示情報は、前記第１時間領域リソースおよび／または第１周波数領域リソースのリソース指示情報をさらに含み、
前記第２ネットワーク機器に第１干渉回避指示情報を送信する前に、前記端末機器で自己干渉が生じる場合で前記第２ネットワーク機器に利用される第５時間領域リソースおよび／または第５周波数領域リソースを決定するための第２特定モジュールと、
前記第５時間領域リソースおよび／または前記第５周波数領域リソースに基づき、前記第１時間領域リソースおよび／または第１周波数領域リソースを決定するための第３特定モジュールとをさらに含む、請求項１７に記載のネットワーク機器。
【請求項２３】
前記第１干渉回避指示情報は、前記端末機器が位置するセルの識別情報、前記セルで前記端末機器に対応する時間領域リソースおよび／または周波数領域リソースのリソース指示情報、前記第１時間領域リソースおよび／または第１周波数領域リソースによる前記端末機器との通信の開始時間、前記第１時間領域リソースおよび／または第１周波数領域リソースによる前記端末機器との通信の停止時間のうちの少なくとも１つをさらに含む、請求項１９または２２に記載のネットワーク機器。
【請求項２４】
前記第２ネットワーク機器に第１干渉回避指示情報を送信した後に、前記端末機器の自己干渉が消滅しまたは弱まると、前記第２ネットワーク機器が前記第１時間領域リソースおよび／または第１周波数領域リソースによる前記端末機器との通信の停止を決定するための回避停止指示情報を前記第２ネットワーク機器に送信するための第４送信モジュールをさらに含む、請求項１７に記載のネットワーク機器。
【請求項２５】
ネットワーク機器であって、
第１ネットワーク機器からの第１干渉回避指示情報であって、前記第１ネットワーク機器と前記ネットワーク機器の両方に接続される端末機器で自己干渉が生じる場合に前記第１ネットワーク機器から送信され、前記端末機器の識別情報を含む第１干渉回避指示情報を、受信するための第１受信モジュールと、
前記第１干渉回避指示情報に基づき、第１時間領域リソースおよび／または第１周波数領域リソースを利用して前記端末機器と通信するための第１通信モジュールとを含む、ネットワーク機器。
【請求項２６】
第１ネットワーク機器からの第１干渉回避指示情報を受信する前に、前記第１ネットワーク機器から送信された第２時間領域リソースおよび／または第２周波数領域リソースのリソース指示情報を受信するための第２受信モジュールをさらに含む、請求項２５に記載のネットワーク機器。
【請求項２７】
前記第２時間領域リソースおよび／または第２周波数領域リソースは、
前記第１ネットワーク機器で利用可能でかつ第２ネットワーク機器で利用不可のリソース、または、
前記ネットワーク機器で利用可能でかつ第１ネットワーク機器で利用不可のリソース、または、
前記第１ネットワーク機器と前記第２ネットワーク機器の両方で利用可能なリソースである、請求項２６に記載のネットワーク機器。
【請求項２８】
前記第１ネットワーク機器からの第１干渉回避指示情報を受信した後に、前記第１干渉回避指示情報へのフィードバック情報を前記第１ネットワーク機器に送信するための送信モジュールをさらに含み、
ここで、前記ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含み、
前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含み、
前記ネットワーク機器が前記第２時間領域リソースおよび／または第２周波数領域リソースの利用に同意する場合、前記フィードバック情報は、前記第１干渉回避指示情報に同意する情報を含む、請求項２７に記載のネットワーク機器。
【請求項２９】
前記干渉回避推奨情報を含むフィードバック情報を前記第１ネットワーク機器に送信した後に、前記第１ネットワーク機器から前記干渉回避推奨情報に基づいて決定した第２干渉回避指示情報であって、第４時間領域リソースおよび／または第４周波数領域リソースのリソース指示情報、前記セルで前記端末機器に対応する時間領域リソースおよび／または周波数領域リソースのリソース指示情報のうちの少なくとも１つを含む第２干渉回避指示情報を受信するための第３受信モジュールと、
前記第２干渉回避指示情報に基づき、前記第４時間領域リソースおよび／または第４周波数領域リソースを利用して前記端末機器と通信するための第２通信モジュールとをさらに含む、請求項２８に記載のネットワーク機器。
【請求項３０】
前記第１干渉回避指示情報は、前記第１時間領域リソースおよび／または第１周波数領域リソースのリソース指示情報をさらに含む、請求項２５に記載のネットワーク機器。
【請求項３１】
前記第１干渉回避指示情報は、前記端末機器が位置するセルの識別情報、前記セルで前記端末機器に対応する時間領域リソースおよび／または周波数領域リソースのリソース指示情報、前記第１時間領域リソースおよび／または第１周波数領域リソースによる前記端末機器との通信の開始時間、前記第１時間領域リソースおよび／または第１周波数領域リソースによる前記端末機器との通信の停止時間のうちの少なくとも１つをさらに含む、請求項２７または３０に記載のネットワーク機器。
【請求項３２】
前記第１ネットワーク機器からの回避停止指示情報を受信すると、前記第１時間領域リソースおよび／または第１周波数領域リソースによる前記端末機器との通信を停止するための第３通信モジュールをさらに含む、請求項２７または３０に記載のネットワーク機器。
【請求項３３】
プロセッサと、メモリと、前記メモリに格納されて前記プロセッサで実行可能なコンピュータプログラムを含むネットワーク機器において、
前記コンピュータプログラムが前記プロセッサによって実行されると、請求項１〜１６のいずれか一項に記載の信号干渉回避方法のステップが実現される、ネットワーク機器。
【請求項３４】
コンピュータプログラムが格納されているコンピュータ読み取り可能な記憶媒体であって、
前記コンピュータプログラムがプロセッサによって実行されると、請求項１〜１６のいずれか一項に記載の信号干渉回避方法のステップが実現される、コンピュータ読み取り可能な記憶媒体。
【発明の詳細な説明】
【技術分野】
【０００１】
本発明は、通信分野に係り、特に信号干渉回避方法およびネットワーク機器に係る。
【背景技術】
【０００２】
現在、５Ｇ  ＮＲ（Ｎｅｗ  Ｒａｄｉｏ）において、図１に示すように、ＬＴＥ（Ｌｏｎｇ  Ｔｅｒｍ  Ｅｖｏｌｕｔｉｏｎ）とＮＲシステムは、デュアル接続ＤＣ（Ｄｕａｌ  Ｃｏｎｎｅｃｔｉｖｉｔｙ）方式で密結合する必要がある。一方のシステムは、ＭＮ（Ｍａｓｔｅｒ  Ｎｏｄｅ）であり、他方のシステムは、ＳＮ（Ｓｅｃｏｎｄａｒｙ  Ｎｏｄｅ）である。デュアル接続システムでは、ＭＣＧ（Ｍａｓｔｅｒ  Ｃｅｌｌ  Ｇｒｏｕｐ）とＳＣＧ（Ｓｅｃｏｎｄａｒｙ  Ｃｅｌｌ  Ｇｒｏｕｐ）との２つのセル群を含む。そのうち、ＭＣＧは、１つのＰＣｅｌｌ（Ｐｒｉｍａｒｙ  Ｃｅｌｌ）と、１つまたは複数のＳＣｅｌｌ（Ｓｅｃｏｎｄａｒｙ  Ｃｅｌｌ）を含み、ＳＣＧは、１つのＰＳＣｅｌｌ（Ｐｒｉｍａｒｙ  Ｓｅｃｏｎｄａｒｙ  Ｃｅｌｌ）と、１つまたは複数のＳＣｅｌｌを含む。
【０００３】
スペクトルから見て、１．８ＧＨｚのＬＴＥ  ＦＤＤ（Ｆｒｅｑｕｅｎｃｙ  Ｄｉｖｉｓｉｏｎ  Ｄｕｐｌｅｘｉｎｇ）スペクトルと３．５ＧＨｚのＮＲ  ＴＤＤ（Ｔｉｍｅ  Ｄｉｖｉｓｉｏｎ  Ｄｕｐｌｅｘｉｎｇ）スペクトルでＬＴＥ、ＮＲのデュアル接続を行う。図２に示すように、端末機器から１．８ＧＨｚのアップリンク信号を送信する場合、１．８ＧＨｚのアップリンク信号から生じる二次高調波干渉によって、当該端末機器の３．５ＧＨｚでのダウンリンク信号受信に影響を与える可能性があり、端末の自己干渉現象が生じる。
【０００４】
また、非デュアル接続のシステム、たとえば５Ｇ  ＮＲ  の１．８ＧＨｚと３．５ＧＨｚのキャリアアグリゲーションシステムでは、１．８ＧＨｚのアップリンク信号から生じる二次高調波干渉によって、当該端末機器の３．５ＧＨｚでのダウンリンク信号受信に影響を与える可能性があり、同様に端末の自己干渉現象が生じる。ＮＲ  ＳＵＬ（Ｓｕｐｐｌｅｍｅｎｔａｌ  Ｕｐｌｉｎｋ）システムでは、たとえば１．８ＧＨｚがＳＵＬ搬送波であり、３．５ＧＨｚがＮＲ搬送波であるが、１．８ＧＨｚのアップリンク信号から生じる二次高調波干渉によって、当該端末機器の３．５ＧＨｚでのダウンリンク信号受信に影響を与える可能性があり、同様に端末の自己干渉現象が生じる。
【発明の概要】
【発明が解決しようとする課題】
【０００５】
本発明の実施例の目的は、信号干渉回避方法およびネットワーク機器を提供し、端末の自己干渉問題を解決しようとする。
【課題を解決するための手段】
【０００６】
第１方面では、本発明の実施例は、第１ネットワーク機器に応用される信号干渉回避方法を提供する。当該方法において、前記第１ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信することを含む。
【０００７】
第２方面では、本発明の実施例は、第２ネットワーク機器に応用される信号干渉回避方法を提供する。当該方法において、第１ネットワーク機器からの第１干渉回避指示情報であって、前記第１ネットワーク機器と前記第２ネットワーク機器の両方に接続される端末機器で自己干渉の発生が前記第１ネットワーク機器によって監視された場合に前記第１ネットワーク機器から送信され、前記端末機器の識別情報を含む第１干渉回避指示情報を、受信することと、前記第１干渉回避指示情報に基づき、第１時間領域リソースおよび／または第１周波数領域リソースを利用して前記端末機器と通信することとを含む。
【０００８】
第３方面では、本発明の実施例は、ネットワーク機器をさらに提供する。当該ネットワーク機器は、前記ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信するための第１送信モジュールを含む。
【０００９】
第４方面では、本発明の実施例は、ネットワーク機器をさらに提供する。当該ネットワーク側機器は、第１ネットワーク機器からの第１干渉回避指示情報であって、前記第１ネットワーク機器と前記ネットワーク機器の両方に接続される端末機器で自己干渉が生じる場合に前記第１ネットワーク機器から送信され、前記端末機器の識別情報を含む第１干渉回避指示情報を、受信するための第１受信モジュールと、前記第１干渉回避指示情報に基づき、第１時間領域リソースおよび／または第１周波数領域リソースを利用して前記端末機器と通信するための第１通信モジュールとを含む。
【００１０】
第５方面では、本発明の実施例は、プロセッサと、メモリと、前記メモリに格納されて前記プロセッサで実行可能なコンピュータプログラムを含むネットワーク機器をさらに提供する。前記コンピュータプログラムが前記プロセッサによって実行されると、上記第１方面または第２方面の信号干渉回避方法のステップが実現される。
【００１１】
第６方面では、本発明の実施例は、コンピュータプログラムが格納されているコンピュータ読み取り可能な記憶媒体をさらに提供する。前記コンピュータプログラムがプロセッサによって実行されると、上記第１方面または第２方面の信号干渉回避方法のステップが実現される。
【発明の効果】
【００１２】
本発明の実施例において、第１ネットワーク機器と第２ネットワーク機器の両方に接続される端末機器で自己干渉が生じる場合、第１ネットワーク機器から第１干渉回避指示情報を第２ネットワーク機器に送信することによって、第２ネットワーク機器が、第１干渉回避指示情報に基づき、第１時間領域リソースおよび／または第１周波数領域リソースによる端末機器との通信を決定することができるため、端末の自己干渉問題を効果的に回避して信号伝送品質を高めることができる。
【図面の簡単な説明】
【００１３】
本発明の実施例や従来技術の技術手段をより明確に説明するために、以下、実施例や従来技術の記載に必要とされる図面を簡単に紹介する。明らかに、以下の記載に関する図面は、単に本発明の一部の実施例である。当業者にとって、創造性のある作業をしない前提で、これらの図面から他の図面を得ることもできる。
【００１４】
【図１】図１は、本発明の一実施例における端末機器とネットワーク機器のデュアル接続ブロック図である。
【図２】図２は、本発明の一実施例におけるデュアル接続システムの信号伝送図である。
【図３】図３は、本発明の一実施例における信号干渉回避方法のフローチャートである。
【図４】図４は、本発明の別の実施例における信号干渉回避方法のフローチャートである。
【図５】図５は、本発明の別の実施例における信号干渉回避方法のフローチャートである。
【図６】図６は、本発明の別の実施例における信号干渉回避方法のフローチャートである。
【図７】図７は、本発明の一実施例におけるネットワーク機器７００の構造図である。
【図８】図８は、本発明の別の実施例におけるネットワーク機器８００の構造図である。
【図９】図９は、本発明の一実施例におけるネットワーク機器の構造図である。
【図１０】図１０は、本発明の別の実施例におけるネットワーク機器の構造図である。
【発明を実施するための形態】
【００１５】
以下、本発明の実施例の図面を参照しながら、本発明の実施例の技術手段を明確且つ完全的に記載する。明らかに、記載される実施例は、本発明の実施例の一部であり、全てではない。本発明の実施例に基づき、当業者が創造性のある作業をせずに為しえる全ての実施例は、本発明の保護範囲に属するものである。
【００１６】
本発明の技術手段は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）、ＮＲ（Ｎｅｗ  Ｒａｄｉｏ）など、各種類の通信システムに応用可能である。
【００１７】
端末機器は、ＵＥ（Ｕｓｅｒ  Ｅｑｕｉｐｍｅｎｔ）、移動端末（Ｍｏｂｉｌｅ  Ｔｅｒｍｉｎａｌ）、アクセス端末、ユーザユニット、ユーザ局、移動局、移動ターミナル、遠隔ターミナル、遠隔端末、移動機器、ユーザ端末、端末、無線通信機器、ユーザエージェントまたはユーザ装置ともいう。アクセス端末は、セルラー電話、ワイヤレス電話、ＳＩＰ（Ｓｅｓｓｉｏｎ  Ｉｎｉｔｉａｔｉｏｎ  Ｐｒｏｔｏｃｏｌ）電話、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）、無線通信機能搭載の携帯機器、計算機器または無線モデムに接続されるほかの処理機器、車載機器、ウェアラブルデバイス、将来の５Ｇネットワークでの端末機器または将来に進化するＰＬＭＮ（Ｐｕｂｌｉｃ  Ｌａｎｄ  Ｍｏｂｉｌｅ  Ｎｅｔｗｏｒｋ）ネットワークでの端末機器である。
【００１８】
ネットワーク機器は、端末機器と通信するための機器であり、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）やＣＤＭＡ（Ｃｏｄｅ  Ｄｉｖｉｓｉｏｎ  Ｍｕｌｔｉｐｌｅ  Ａｃｃｅｓｓ）でのＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）でのＮＢ（ＮｏｄｅＢ）であってもよく、さらにＬＴＥ（Ｌｏｎｇ  Ｔｅｒｍ  Ｅｖｏｌｕｔｉｏｎ）でのｅＮＢまたはｅＮｏｄｅＢ（Ｅｖｏｌｕｔｉｏｎａｌ  Ｎｏｄｅ  Ｂ）またはアクセスポイント、または、車載機器、ウェアラブルデバイス、将来の５Ｇネットワークでのネットワーク側機器または将来に進化するＰＬＭＮ（Ｐｕｂｌｉｃ  Ｌａｎｄ  Ｍｏｂｉｌｅ  Ｎｅｔｗｏｒｋ）ネットワークでのネットワーク機器であってもよい。
【００１９】
図３は、本開示の一実施例における信号干渉回避方法のフローチャートである。当該実施例において、信号干渉回避方法は、第１ネットワーク機器に応用される。図３の方法は、以下のステップを含む。
【００２０】
Ｓ３０１において、第１ネットワーク機器と第２ネットワーク機器の両方に接続される端末機器で自己干渉が生じる場合、第１干渉回避指示情報を第２ネットワーク機器に送信する。
【００２１】
ここで、第１干渉回避指示情報は、第２ネットワーク機器が第１時間領域リソースおよび／または第１周波数領域リソースによる端末機器との通信を決定するために用いられる。第１時間領域リソースおよび／または第１周波数領域リソースは、第２ネットワーク機器で利用可能なリソースである。第１干渉回避指示情報は、端末機器の識別情報を含む。
【００２２】
本発明の実施例において、端末機器と、第１ネットワーク機器および第２ネットワーク機器との間では、図１に示すデュアル接続方式が用いられる。端末機器、第１ネットワーク機器および第２ネットワーク機器は、デュアル接続によってデュアル接続システムを構成する。
【００２３】
選択可能に、第１ネットワーク機器と第２ネットワーク機器は、ＬＴＥ基地局および／またはＮＲ基地局であり、かつ第１ネットワーク機器と第２ネットワーク機器とは、異なる基地局である。すなわち、本発明の実施例のデュアル接続システムにおいて、第１ネットワーク機器は、ＬＴＥ基地局であり、第２ネットワーク機器は、ＮＲ基地局であり、または、第１ネットワーク機器は、ＮＲ基地局であり、第２ネットワーク機器は、ＬＴＥ基地局である。
【００２４】
選択可能に、第１ネットワーク機器は、端末機器に自己干渉が生じるかを監視可能であり、端末機器で自己干渉の発生を監視すると、第１干渉回避指示情報を第２ネットワーク機器に送信する。
【００２５】
本発明の実施例における時間領域リソースは、たとえばスロットリソースｓｌｏｔ、ミニスロットリソースｍｉｎｉ−ｓｌｏｔ、サブフレームリソースｓｕｂ−ｆｒａｍｅ、フレームリソースｆｒａｍｅなどである。周波数領域リソースは、たとえばＰＲＢ（Ｐｈｙｓｉｃａｌ  Ｒｅｓｏｕｒｃｅ  Ｂｌｏｃｋ）などである。
【００２６】
本発明の実施例において、第１ネットワーク機器と第２ネットワーク機器の両方に接続される端末機器で自己干渉が生じる場合、第１ネットワーク機器から第１干渉回避指示情報を第２ネットワーク機器に送信することによって、第２ネットワーク機器が、第１干渉回避指示情報に基づき、第１時間領域リソースおよび／または第１周波数領域リソースによる端末機器との通信を決定することができるため、端末の自己干渉問題を効果的に回避して信号伝送品質を高めることができる。
【００２７】
以下、具体的な実施例を通じて、本発明の実施例の方法をさらに記載する。
【００２８】
１つの実施例において、端末機器で自己干渉が生じる前に、第２時間領域リソースおよび／または第２周波数領域リソースのリソース指示情報を第２ネットワーク機器に送信する。ここで、第２時間領域リソースおよび／または第２周波数領域リソースは、第１ネットワーク機器で利用可能でかつ第２ネットワーク機器で利用不可のリソース、または、第２ネットワーク機器で利用可能でかつ第１ネットワーク機器で利用不可のリソース、または、第１ネットワーク機器と第２ネットワーク機器の両方で利用可能なリソースである。
【００２９】
本実施例において、第１干渉回避指示情報は、端末機器の識別情報（たとえば端末機器のＩＤ情報）を含むほか、端末機器が位置するセルの識別情報（たとえばセルのＩＤ情報、識別子など）、端末機器が位置するセルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【００３０】
ここで、端末機器が位置するセルで端末機器に対応する時間領域リソースおよび／または周波数領域リソースは、同じであってもよく異なってもよい。端末機器が位置するセルは、１つまたは複数を含む。端末機器が位置するセルで端末機器に対応する時間領域リソースおよび／または周波数領域リソースがすべて同じである場合、第１干渉回避指示情報は、端末機器が位置する少なくとも１つのセルで端末機器に対応する共通時間領域リソースおよび／または共通周波数領域リソースを含むが、端末機器が位置するセルで端末機器に対応する時間領域リソースおよび／または周波数領域リソースがすべて異なる場合、第１干渉回避指示情報は、端末機器が位置する少なくとも１つのセルのうちの各セルで端末機器に対応する時間領域リソースおよび／または周波数領域リソースを含む。端末機器が位置するセルに対応する時間領域リソースおよび／または周波数領域リソースに基づき、第２ネットワーク機器は、端末機器で自己干渉が生じる場合に端末機器との通信に利用される時間領域リソースおよび／または周波数領域リソースを決定することができる。
【００３１】
たとえば、時間領域リソースの指示は、４０ｂｉｔを含むｂｉｔｍａｐである。ｂｉｔｍａｐでの各ｂｉｔは、１つのダウンリンクサブフレームまたはスロットを示す。当該ｂｉｔが１であることは、当該ビットが位置するサブフレームまたはスロットが第１ネットワーク機器のダウンリンク伝送に利用されることを示し、当該ｂｉｔが０であることは、当該ビットが位置するサブフレームまたはスロットが第１ネットワーク機器のダウンリンク伝送に利用されないことを示す。ｂｉｔｍａｐで一つ目のビットは、１つの無線フレームの中の０号サブフレームを示し、かつ当該無線フレームのシステムフレーム番号のｍｏｄ４が０に等しい。当該４０ｂｉｔのｂｉｔｍａｐ情報の繰り返し周期は、４０ｍｓである。
【００３２】
たとえば、周波数領域リソース指示は、ｂｉｔｍａｐである。ｂｉｔｍａｐでの各ｂｉｔは、１つのＰＲＢを示す。当該ｂｉｔが１であることは、当該ビットが位置するＰＲＢが第１ネットワーク機器のダウンリンク伝送に利用されることを示し、当該ｂｉｔが０であることは、当該ビットが位置するＰＲＢが第１ネットワーク機器のダウンリンク伝送に利用されないことを示す。ｂｉｔｍａｐの長さは、システム帯域幅に関係する。たとえば、ｂｉｔｍａｐの長さは、システム帯域幅の最大ＰＲＢ数に等しい。
【００３３】
第１干渉回避指示情報には、第１時間領域リソースおよび／または第１周波数領域リソースによる端末機器との通信の開始時間および停止時間が含まれる場合、第１干渉回避指示情報の送信から１分間が経過した時点を開始時間とし、第１時間領域リソースおよび／または第１周波数領域リソースの利用開始から４０ｍｓが経過した時点を停止時間とする。すると、第２ネットワーク機器は、第１干渉回避指示情報を受信してから１分間が経過すると、第１時間領域リソースおよび／または第１周波数領域リソースによる端末機器との通信を開始し、４０ｍｓが経過すると、第１時間領域リソースおよび／または第１周波数領域リソースによる端末機器との通信を停止する。
【００３４】
第１干渉回避指示情報には、第１時間領域リソースおよび／または第１周波数領域リソースによる端末機器との通信の開始時間が含まれない場合、第２ネットワーク機器は、第１干渉回避指示情報を受信すると、直ちに第１時間領域リソースおよび／または第１周波数領域リソースを利用して端末機器と通信する。
【００３５】
１つの実施例において、第２ネットワーク機器は、第１干渉回避指示情報に対し、第１ネットワーク機器へフィードバック情報を送信する。
【００３６】
第２時間領域リソースおよび／または第２周波数領域リソースが第１ネットワーク機器のみで利用可能なリソースである場合、第２ネットワーク機器は、第２時間領域リソースおよび／または第２周波数領域リソースの利用ができないため、第２時間領域リソースおよび／または第２周波数領域リソースの利用を拒否できる。この場合、フィードバック情報は、第１干渉回避指示情報を拒否する情報を含み、さらに、第２時間領域リソースおよび／または第２周波数領域リソースの利用不可など、拒否理由を含む。
【００３７】
フィードバック情報には、第１干渉回避指示情報を拒否する情報が含まれる場合、フィードバック情報は、第１干渉回避指示情報とは異なる干渉回避推奨情報をさらに含む。ここで、干渉回避推奨情報は、端末機器の識別情報（たとえば端末機器のＩＤ情報）、端末機器が位置するセルの識別情報（たとえばセルのＩＤ情報、識別子など）、端末機器が位置するセルで端末機器に対応する時間領域リソースおよび／または周波数領域リソースのリソース指示情報、第３時間領域リソースおよび／または第３周波数領域リソースのリソース指示情報、第３時間領域リソースおよび／または第３周波数領域リソースによる端末機器との通信の開始時間、第３時間領域リソースおよび／または第３周波数領域リソースによる端末機器との通信の停止時間のうちの少なくとも１つを含む。
【００３８】
ここで、端末機器が位置するセルで端末機器に対応する時間領域リソースおよび／または周波数領域リソースは、同じであってもよく異なってもよい。端末機器が位置するセルは、１つまたは複数を含む。端末機器が位置するセルで端末機器に対応する時間領域リソースおよび／または周波数領域リソースがすべて同じである場合、第１干渉回避指示情報は、端末機器が位置する少なくとも１つのセルで端末機器に対応する共通時間領域リソースおよび／または共通周波数領域リソースを含むが、端末機器が位置するセルで端末機器に対応する時間領域リソースおよび／または周波数領域リソースがすべて異なる場合、第１干渉回避指示情報は、端末機器が位置する少なくとも１つのセルのうちの各セルで端末機器に対応する時間領域リソースおよび／または周波数領域リソースを含む。端末機器が位置するセルに対応する時間領域リソースおよび／または周波数領域リソースに基づき、第２ネットワーク機器は、端末機器で自己干渉が生じる場合に端末機器との通信に利用される時間領域リソースおよび／または周波数領域リソースを決定することができる。たとえば、端末機器が位置するセルで端末機器に対応する時間領域リソースおよび／または周波数領域リソースに基づき、干渉回避推奨情報に指示される第３時間領域リソースおよび／または第３周波数領域リソースが利用可能かを決定する。
【００３９】
たとえば、時間領域リソースの指示は、４０ｂｉｔを含むｂｉｔｍａｐである。ｂｉｔｍａｐでの各ｂｉｔは、１つのダウンリンクサブフレームまたはスロットを示す。当該ｂｉｔが１であることは、当該ビットが位置するサブフレームまたはスロットが第１ネットワーク機器のダウンリンク伝送に利用されることを示し、当該ｂｉｔが０であることは、当該ビットが位置するサブフレームまたはスロットが第１ネットワーク機器のダウンリンク伝送に利用されないことを示す。ｂｉｔｍａｐで一つ目のビットは、１つの無線フレームの中の０号サブフレームを示し、かつ当該無線フレームのシステムフレーム番号のｍｏｄ４が０に等しい。当該４０ｂｉｔのｂｉｔｍａｐ情報の繰り返し周期は、４０ｍｓである。
【００４０】
たとえば、周波数領域リソースの指示は、ｂｉｔｍａｐである。ｂｉｔｍａｐでの各ｂｉｔは、１つのＰＲＢを示す。当該ｂｉｔが１であることは、当該ビットが位置するＰＲＢが第１ネットワーク機器のダウンリンク伝送に利用されることを示し、当該ｂｉｔが０であることは、当該ビットが位置するＰＲＢが第１ネットワーク機器のダウンリンク伝送に利用されないことを示す。ｂｉｔｍａｐの長さは、システム帯域幅に関係する。たとえば、ｂｉｔｍａｐの長さは、システム帯域幅の最大ＰＲＢ数に等しい。第２ネットワーク機器は、二次高調波の計算式（ｆ２＝２×ｆ１（ｆ２：二次高調波に影響される周波数；ｆ１：二次高調波が生じる周波数））および第２ネットワーク機器に利用されるＰＲＢ範囲に基づき、二次高調波から影響を受ける第１ネットワーク機器のＰＲＢを算出でき、さらに二次高調波から影響を受けない第１ネットワーク機器のＰＲＢ、すなわち第１ネットワーク機器のダウンリンク伝送に利用可能なＰＲＢを算出できる。
【００４１】
第２時間領域リソースおよび／または第２周波数領域リソースが第２ネットワーク機器で利用可能なリソースである場合、フィードバック情報は、第１干渉回避指示情報に同意する情報を含む。この場合、第２ネットワーク機器は、第２時間領域リソースおよび／または第２周波数領域リソースを、利用可能な第１時間領域リソースおよび／または第１周波数領域リソースに決定し、第２時間領域リソースおよび／または第２周波数領域リソースを利用して端末機器と通信する。
【００４２】
１つの実施例において、フィードバック情報には、第１干渉回避指示情報を拒否する情報および第１干渉回避指示情報とは異なる干渉回避推奨情報が含まれる場合、第１ネットワーク機器は、干渉回避推奨情報に基づいて第２干渉回避指示情報を決定する。ここで、第２干渉回避指示情報は、第４時間領域リソースおよび／または第４周波数領域リソースのリソース指示情報、端末機器が位置するセルで端末機器に対応する時間領域リソースおよび／または周波数領域リソースのリソース指示情報のうちの少なくとも１つを含む。
【００４３】
ここで、第４時間領域リソースおよび／または第４周波数領域リソースは、干渉回避推奨情報の中の第３時間領域リソースおよび／または第３周波数領域リソースのリソース指示情報に基づいて決定される。たとえば、複数の第３時間領域リソースを含む場合、複数の第３時間領域リソースから一部の利用可能なリソースを選択して第４時間領域リソースとする。
【００４４】
それから、第１ネットワーク機器は、第２干渉回避指示情報を第２ネットワーク機器に送信する。第２干渉回避指示情報は、第２ネットワーク機器が第４時間領域リソースおよび／または第４周波数領域リソースによる端末機器との通信を決定することに用いられる。
【００４５】
図４は、本発明の別の実施例における信号干渉回避方法のフローチャートである。図４の方法は、以下のステップを含む。
【００４６】
Ｓ４０１において、第１ネットワーク機器は、第２時間領域リソースおよび／または第２周波数領域リソースのリソース指示情報を第２ネットワーク機器に送信する。
【００４７】
Ｓ４０２において、第１ネットワーク機器と第２ネットワーク機器の両方に接続される端末機器で自己干渉が生じる場合、第１ネットワーク機器は、第１干渉回避指示情報を第２ネットワーク機器に送信する。
【００４８】
ここで、第１干渉回避指示情報は、端末機器の識別情報（たとえば端末機器のＩＤ情報）を含むほか、端末機器が位置するセルの識別情報（たとえばセルのＩＤ情報、識別子など）、端末機器が位置するセルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【００４９】
Ｓ４０３において、第２ネットワーク機器は、第２時間領域リソースおよび／または第２周波数領域リソースが利用可能かを判断し、ＹＥＳの場合にステップＳ４０４を実行するが、ＮＯの場合にステップＳ４０５を実行する。
【００５０】
Ｓ４０４において、第２ネットワーク機器は、第２時間領域リソースおよび／または第２周波数領域リソースを利用して端末機器と通信する。
【００５１】
Ｓ４０５において、第２ネットワーク機器は、第１干渉回避指示情報を拒否する情報および第１干渉回避指示情報とは異なる干渉回避推奨情報を第１ネットワーク機器へ送信する。
【００５２】
ここで、干渉回避推奨情報は、端末機器の識別情報（たとえば端末機器のＩＤ情報）、端末機器が位置するセルの識別情報（たとえばセルのＩＤ情報、識別子など）、端末機器が位置するセルで端末機器に対応する時間領域リソースおよび／または周波数領域リソースのリソース指示情報、第３時間領域リソースおよび／または第３周波数領域リソースのリソース指示情報、第３時間領域リソースおよび／または第３周波数領域リソースによる端末機器との通信の開始時間、第３時間領域リソースおよび／または第３周波数領域リソースによる端末機器との通信の停止時間のうちの少なくとも１つを含む。
【００５３】
Ｓ４０６において、第１ネットワーク機器は、干渉回避推奨情報に基づいて第２干渉回避指示情報を決定し、第２干渉回避指示情報を第２ネットワーク機器に送信する。
【００５４】
ここで、第２干渉回避指示情報は、第４時間領域リソースおよび／または第４周波数領域リソースのリソース指示情報、端末機器が位置するセルで端末機器に対応する時間領域リソースおよび／または周波数領域リソースのリソース指示情報のうちの少なくとも１つを含む。
【００５５】
Ｓ４０７において、第２ネットワーク機器は、第２干渉回避指示情報に指示される第４時間領域リソースおよび／または第４周波数領域リソースを利用して端末機器と通信する。
【００５６】
本発明の実施例において、第１ネットワーク機器が、端末機器で自己干渉が生じる場合に第２ネットワーク機器と端末機器との通信に利用されるリソースを予め第２ネットワーク機器に送信し、端末機器で自己干渉が生じる場合に、第１干渉回避指示情報を第２ネットワーク機器に送信することによって、第２ネットワーク機器が、第１干渉回避指示情報に基づき、端末機器の自己干渉回避用の時間領域リソースおよび／または周波数領域リソースを決定し、当該時間領域リソースおよび／または周波数領域リソースを利用して端末機器と通信できるため、端末の自己干渉問題を効果的に回避して信号伝送品質を高めることができる。
【００５７】
１つの実施例において、第１干渉回避指示情報は、端末機器の識別情報（たとえば端末機器のＩＤ情報）および第１時間領域リソースおよび／または第１周波数領域リソースのリソース指示情報を含む。また、第１干渉回避指示情報は、端末機器が位置するセルの識別情報（たとえばセルのＩＤ情報、識別子など）、端末機器が位置するセルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【００５８】
ここで、端末機器が位置するセルで端末機器に対応する時間領域リソースおよび／または周波数領域リソースは、同じであってもよく異なってもよい。端末機器が位置するセルは、１つまたは複数を含む。端末機器が位置するセルで端末機器に対応する時間領域リソースおよび／または周波数領域リソースがすべて同じである場合、第１干渉回避指示情報は、端末機器が位置する少なくとも１つのセルで端末機器に対応する共通時間領域リソースおよび／または共通周波数領域リソースを含むが、端末機器が位置するセルで端末機器に対応する時間領域リソースおよび／または周波数領域リソースがすべて異なる場合、第１干渉回避指示情報は、端末機器が位置する少なくとも１つのセルのうちの各セルで端末機器に対応する時間領域リソースおよび／または周波数領域リソースを含む。端末機器が位置するセルに対応する時間領域リソースおよび／または周波数領域リソースに基づき、第２ネットワーク機器は、端末機器で自己干渉が生じる場合に端末機器との通信に利用される時間領域リソースおよび／または周波数領域リソースを決定することができる。
【００５９】
第１干渉回避指示情報には、第１時間領域リソースおよび／または第１周波数領域リソースによる端末機器との通信の開始時間および停止時間が含まれる場合、第１干渉回避指示情報の送信から１分間が経過した時点を開始時間とし、第１時間領域リソースおよび／または第１周波数領域リソースの利用開始から４０ｍｓが経過した時点を停止時間とする。すると、第２ネットワーク機器は、第１干渉回避指示情報を受信してから１分間が経過すると、第１時間領域リソースおよび／または第１周波数領域リソースによる端末機器との通信を開始し、４０ｍｓが経過すると、第１時間領域リソースおよび／または第１周波数領域リソースによる端末機器との通信を停止する。
【００６０】
第１干渉回避指示情報には、第１時間領域リソースおよび／または第１周波数領域リソースによる端末機器との通信の開始時間が含まれない場合、第２ネットワーク機器は、第１干渉回避指示情報を受信すると、直ちに第１時間領域リソースおよび／または第１周波数領域リソースを利用して端末機器と通信する。
【００６１】
上記実施例において、第１干渉回避指示情報には、第１時間領域リソースおよび／または第１周波数領域リソースのリソース指示情報を含み、かつ第１干渉回避指示情報が、端末機器で自己干渉が生じてから第１ネットワーク機器から第２ネットワーク機器に送信されるため、第１ネットワーク機器は、第２ネットワーク機器で利用可能な第１時間領域リソースおよび／または第１周波数領域リソースを決定しておくことができる。
【００６２】
選択可能に、第１ネットワーク機器は、以下の方式で第１時間領域リソースおよび／または第１周波数領域リソースを決定することができる。まず、端末機器で自己干渉が生じる場合に第２ネットワーク機器に利用される第５時間領域リソースおよび／または第５周波数領域リソースを決定する。次に、第５時間領域リソースおよび／または第５周波数領域リソースに基づき、第１時間領域リソースおよび／または第１周波数領域リソースを決定する。具体的に、第５時間領域リソースおよび／または第５周波数領域リソースとは異なる時間領域リソースおよび／または周波数領域リソースを第１時間領域リソースおよび／または第１周波数領域リソースに決定して、端末機器の自己干渉回避効果を達成する。たとえば、端末機器で自己干渉が生じる場合に第２ネットワーク機器に利用される第５時間領域リソースがサブフレームリソースｓｕｂ−ｆｒａｍｅ１であると、サブフレームリソースｓｕｂ−ｆｒａｍｅ１とは異なるほかの時間領域リソースを第１時間領域リソースに決定する。
【００６３】
１つの実施例において、第１ネットワーク機器から第２ネットワーク機器に指示する第１時間領域リソースおよび／または第１周波数領域リソースが第２ネットワーク機器で利用可能なリソースであっても、第２ネットワーク機器は、第１干渉回避指示情報に対してフィードバック情報を第１ネットワーク機器に送信する。
【００６４】
１つの場合では、フィードバック情報は、第１干渉回避指示情報に同意する情報を含む。この場合、第２ネットワーク機器は、第１時間領域リソースおよび／または第１周波数領域リソースを利用して端末機器と通信する。
【００６５】
もう１つの場合では、フィードバック情報は、第１干渉回避指示情報を拒否する情報を含む。この場合、フィードバック情報は、拒絶理由をさらに含む。たとえば、拒否理由として、第２ネットワーク機器が、負荷が大き過ぎるため、第１時間領域リソースおよび／または第１周波数領域リソースを利用して端末機器と通信することができない。
【００６６】
図５は、本発明の別の実施例における信号干渉回避方法のフローチャートである。図５の方法は、以下のステップを含む。
【００６７】
Ｓ５０１において、第１ネットワーク機器は、第１ネットワーク機器と第２ネットワーク機器の両方に接続される端末機器で自己干渉が生じるかを監視し、ＹＥＳの場合にＳ５０２を実行するが、ＮＯの場合に、引き続き、端末機器で自己干渉が生じるかを監視する。
【００６８】
Ｓ５０２において、第１ネットワーク機器は、第２ネットワーク機器に利用されている第５時間領域リソースおよび／または第５周波数領域リソースを決定する。
【００６９】
Ｓ５０３において、第１ネットワーク機器は、第５時間領域リソースおよび／または第５周波数領域リソースに基づき、端末機器の自己干渉回避用の第１時間領域リソースおよび／または第１周波数領域リソースを決定する。
【００７０】
Ｓ５０４において、第１ネットワーク機器は、端末機器の識別情報および第１時間領域リソースおよび／または第１周波数領域リソースのリソース指示情報を含む第１干渉回避指示情報を第２ネットワーク機器に送信する。
【００７１】
また、第１干渉回避指示情報は、端末機器が位置するセルの識別情報（たとえばセルのＩＤ情報、識別子など）、端末機器が位置するセルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【００７２】
Ｓ５０５において、第２ネットワーク機器は、第１干渉回避指示情報に指示される第１時間領域リソースおよび／または第１周波数領域リソースを利用して端末機器と通信する。
【００７３】
本発明の実施例において、第１ネットワーク機器が、端末機器で自己干渉が生じる場合に第１干渉回避指示情報を第２ネットワーク機器に送信することによって、第２ネットワーク機器が、第１干渉回避指示情報に指示される第１時間領域リソースおよび／または第１周波数領域リソースに基づいて端末機器と通信できるため、端末の自己干渉問題を効果的に回避して信号伝送品質を高めることができる。
【００７４】
上記のいずれか１つの実施例において、第１ネットワーク機器は、第２ネットワーク機器に第１干渉回避指示情報を送信した後に、端末機器の自己干渉が消滅しまたは弱まると、第２ネットワーク機器が第１時間領域リソースおよび／または第１周波数領域リソースによる端末機器との通信の停止を決定するための回避停止指示情報を第２ネットワーク機器に送信する。
【００７５】
図６は、本発明の別の実施例における信号干渉回避方法のフローチャートである。本実施例において、信号干渉回避方法は、第２ネットワーク機器に応用される。図６の方法は、以下のステップを含む。
【００７６】
Ｓ６０１において、第１ネットワーク機器からの第１干渉回避指示情報を受信する。第１干渉回避指示情報は、第１ネットワーク機器と第２ネットワーク機器の両方に接続される端末機器で自己干渉が生じることが第１ネットワーク機器によって監視された場合に、第１ネットワーク機器から送信される。
【００７７】
Ｓ６０２において、第１干渉回避指示情報に基づき、第１時間領域リソースおよび／または第１周波数領域リソースを利用して端末機器と通信する。
【００７８】
ここで、第１干渉回避指示情報は、端末機器の識別情報を含む。
【００７９】
１つの実施例において、第１ネットワーク機器からの第１干渉回避指示情報を受信する前に、第２ネットワーク機器は、第１ネットワーク機器から送信された第２時間領域リソースおよび／または第２周波数領域リソースのリソース指示情報を受信する。
【００８０】
ここで、第２時間領域リソースおよび／または第２周波数領域リソースは、第１ネットワーク機器で利用可能でかつ第２ネットワーク機器で利用不可のリソース、または、第２ネットワーク機器で利用可能でかつ第１ネットワーク機器で利用不可のリソース、または、第１ネットワーク機器と第２ネットワーク機器の両方で利用可能なリソースである。
【００８１】
１つの実施例において、第１ネットワーク機器からの第１干渉回避指示情報を受信した後に、第２ネットワーク機器は、第１干渉回避指示情報へのフィードバック情報を第１ネットワーク機器に送信する。
【００８２】
ここで、第２ネットワーク機器が第２時間領域リソースおよび／または第２周波数領域リソースの利用を拒否する場合、フィードバック情報は、第１干渉回避指示情報を拒否する情報、拒否理由、第１干渉回避指示情報とは異なる干渉回避推奨情報のうちの少なくとも１つを含む。
【００８３】
干渉回避推奨情報は、端末機器の識別情報、端末機器が位置するセルの識別情報、端末機器が位置するセルで端末機器に対応する時間領域リソースおよび／または周波数領域リソースのリソース指示情報、第３時間領域リソースおよび／または第３周波数領域リソースのリソース指示情報、第３時間領域リソースおよび／または第３周波数領域リソースによる端末機器との通信の開始時間、第３時間領域リソースおよび／または第３周波数領域リソースによる端末機器との通信の停止時間のうちの少なくとも１つを含む。
【００８４】
第２ネットワーク機器が第２時間領域リソースおよび／または第２周波数領域リソースの利用に同意する場合、フィードバック情報は、第１干渉回避指示情報に同意する情報を含む。
【００８５】
１つの実施例において、干渉回避推奨情報を含むフィードバック情報を第１ネットワーク機器に送信した後に、第２ネットワーク機器は、第１ネットワーク機器から干渉回避推奨情報に基づいて決定した第２干渉回避指示情報であって、第４時間領域リソースおよび／または第４周波数領域リソースのリソース指示情報、端末機器が位置するセルで端末機器に対応する時間領域リソースおよび／または周波数領域リソースのリソース指示情報のうちの少なくとも１つを含む第２干渉回避指示情報を受信し、さらに、第２干渉回避指示情報に基づき、第４時間領域リソースおよび／または第４周波数領域リソースを利用して端末機器と通信する。
【００８６】
１つの実施例において、第１干渉回避指示情報は、第１時間領域リソースおよび／または第１周波数領域リソースのリソース指示情報をさらに含む。
【００８７】
１つの実施例において、第１干渉回避指示情報は、端末機器が位置するセルの識別情報、端末機器が位置するセルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【００８８】
１つの実施例において、第１ネットワーク機器からの回避停止指示情報を受信すると、第２ネットワーク機器は、第１時間領域リソースおよび／または第１周波数領域リソースによる端末機器との通信を停止する。
【００８９】
本発明の実施例において、第２ネットワーク機器が、端末機器で自己干渉が生じる場合に第１ネットワーク機器から送信される第１干渉回避指示情報を受信し、さらに第１干渉回避指示情報に基づき、第１時間領域リソースおよび／または第１周波数領域リソースを利用して端末機器と通信できるため、端末の自己干渉問題を効果的に回避して信号伝送品質を高めることができる。
【００９０】
上記の第２ネットワーク機器に応用される信号干渉回避方法の実施例において、各実施例の実行方法が図３〜図５に示す方法に類似するため、ここでは繰り返して記載しない。
【００９１】
以上、本発明の特定の実施例を記載した。ほかの実施例は、添付する特許請求の範囲に含まれる。一部の場合、特許請求の範囲で記載される動作やステップは、実施例での順番とは異なる順番で実行してもよく、期待される効果を達成することもできる。また、図面で記載したプロセスは、示した特定な順番や連続する順番でなければ、期待される結果の実現ができないとは限らない。一部の実施形態において、複数タスク処理や並行処理も可能であり、または、有利である可能性もある。
【００９２】
図７は、本発明の一実施例におけるネットワーク機器７００の構造図である。図７に示すように、ネットワーク機器は、ネットワーク機器７００と第２ネットワーク機器の両方に接続される端末機器で自己干渉が生じる場合、端末機器の識別情報を含む第１干渉回避指示情報であって、第２ネットワーク機器が第１時間領域リソースおよび／または第１周波数領域リソースによる端末機器との通信を決定するための第１干渉回避指示情報を、第２ネットワーク機器に送信するための第１送信モジュール７１０を含む。
【００９３】
１つの実施例において、ネットワーク機器７００は、端末機器で自己干渉が生じる前に、第２時間領域リソースおよび／または第２周波数領域リソースのリソース指示情報を第２ネットワーク機器に送信するための第２送信モジュールをさらに含む。
【００９４】
１つの実施例において、第２時間領域リソースおよび／または第２周波数領域リソースは、前記ネットワーク機器で利用可能でかつ第２ネットワーク機器で利用不可のリソース、または、前記第２ネットワーク機器で利用可能でかつ第１ネットワーク機器で利用不可のリソース、または、前記第１ネットワーク機器と前記第２ネットワーク機器の両方で利用可能なリソースである。
【００９５】
１つの実施例において、ネットワーク機器７００は、第２ネットワーク機器から第１干渉回避指示情報へのフィードバック情報を受信するための受信モジュールをさらに含む。ここで、第２ネットワーク機器が第２時間領域リソースおよび／または第２周波数領域リソースの利用を拒否する場合、フィードバック情報は、第１干渉回避指示情報を拒否する情報、拒否理由、第１干渉回避指示情報とは異なる干渉回避推奨情報のうちの少なくとも１つを含む。干渉回避推奨情報は、端末機器の識別情報、端末機器が位置するセルの識別情報、端末機器が位置するセルで端末機器に対応する時間領域リソースおよび／または周波数領域リソースのリソース指示情報、第３時間領域リソースおよび／または第３周波数領域リソースのリソース指示情報、第３時間領域リソースおよび／または第３周波数領域リソースによる端末機器との通信の開始時間、第３時間領域リソースおよび／または第３周波数領域リソースによる端末機器との通信の停止時間のうちの少なくとも１つを含む。第２ネットワーク機器が第２時間領域リソースおよび／または第２周波数領域リソースの利用に同意する場合、フィードバック情報は、第１干渉回避指示情報に同意する情報を含む。
【００９６】
１つの実施例において、ネットワーク機器７００は、干渉回避推奨情報を受信すると、干渉回避推奨情報に基づき、第４時間領域リソースおよび／または第４周波数領域リソースのリソース指示情報、端末機器が位置するセルに対応する時間領域リソースおよび／または周波数領域リソースのリソース指示情報のうちの少なくとも１つを含む第２干渉回避指示情報を決定するための第１特定モジュールと、第２ネットワーク機器が第４時間領域リソースおよび／または第４周波数領域リソースによる端末機器との通信を決定するための第２干渉回避指示情報を第２ネットワーク機器に送信するための第３送信モジュールとをさらに含む。
【００９７】
１つの実施例において、第１干渉回避指示情報は、第１時間領域リソースおよび／または第１周波数領域リソースのリソース指示情報をさらに含む。ネットワーク機器７００は、第２ネットワーク機器に第１干渉回避指示情報を送信する前に、端末機器で自己干渉が生じる場合で第２ネットワーク機器に利用される第５時間領域リソースおよび／または第５周波数領域リソースを決定するための第２特定モジュールと、第５時間領域リソースおよび／または前記第５周波数領域リソースに基づき、第１時間領域リソースおよび／または第１周波数領域リソースを決定するための第３特定モジュールとをさらに含む。
【００９８】
１つの実施例において、第１干渉回避指示情報は、端末機器が位置するセルの識別情報、セルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【００９９】
１つの実施例において、ネットワーク機器７００は、第２ネットワーク機器に第１干渉回避指示情報を送信した後に、端末機器の自己干渉が消滅しまたは弱まると、第２ネットワーク機器が第１時間領域リソースおよび／または第１周波数領域リソースによる端末機器との通信の停止を決定するための回避停止指示情報を第２ネットワーク機器に送信するための第４送信モジュールをさらに含む。
【０１００】
本発明の実施例におけるネットワーク機器７００は、図３〜図５の方法実施例におけるネットワーク機器７００に実現される各プロセスを実現可能であり、重複を避けるために、ここでは繰り返して記載しない。
【０１０１】
本発明の実施例において、ネットワーク機器７００と第２ネットワーク機器の両方に接続される端末機器で自己干渉が生じる場合、ネットワーク機器７００から第１干渉回避指示情報を第２ネットワーク機器に送信することによって、第２ネットワーク機器が、第１干渉回避指示情報に基づき、第１時間領域リソースおよび／または第１周波数領域リソースによる端末機器との通信を決定することができるため、端末の自己干渉問題を効果的に回避して信号伝送品質を高めることができる。
【０１０２】
図８は、本発明の一実施例におけるネットワーク機器８００の構造図である。図８に示すように、ネットワーク機器は、第１ネットワーク機器からの第１干渉回避指示情報であって、第１ネットワーク機器とネットワーク機器８００の両方に接続される端末機器で自己干渉が生じる場合に第１ネットワーク機器から送信され、端末機器の識別情報を含む第１干渉回避指示情報を、受信するための第１受信モジュール８１０と、第１干渉回避指示情報に基づき、第１時間領域リソースおよび／または第１周波数領域リソースを利用して端末機器と通信するための第１通信モジュール８２０とを含む。
【０１０３】
１つの実施例において、ネットワーク機器８００は、第１ネットワーク機器からの第１干渉回避指示情報を受信する前に、第１ネットワーク機器から送信された第２時間領域リソースおよび／または第２周波数領域リソースのリソース指示情報を受信するための第２受信モジュールをさらに含む。
【０１０４】
１つの実施例において、第２時間領域リソースおよび／または第２周波数領域リソースは、前記第１ネットワーク機器で利用可能でかつ第２ネットワーク機器で利用不可のリソース、または、前記ネットワーク機器で利用可能でかつ第１ネットワーク機器で利用不可のリソース、または、前記第１ネットワーク機器と前記第２ネットワーク機器の両方で利用可能なリソースである。
【０１０５】
１つの実施例において、ネットワーク機器８００は、第１ネットワーク機器からの第１干渉回避指示情報を受信した後に、第１干渉回避指示情報へのフィードバック情報を第１ネットワーク機器に送信するための送信モジュールをさらに含む。ここで、ネットワーク機器８００が第２時間領域リソースおよび／または第２周波数領域リソースの利用を拒否する場合、フィードバック情報は、第１干渉回避指示情報を拒否する情報、拒否理由、第１干渉回避指示情報とは異なる干渉回避推奨情報のうちの少なくとも１つを含む。干渉回避推奨情報は、端末機器の識別情報、端末機器が位置するセルの識別情報、セルで端末機器に対応する時間領域リソースおよび／または周波数領域リソースのリソース指示情報、第３時間領域リソースおよび／または第３周波数領域リソースのリソース指示情報、第３時間領域リソースおよび／または第３周波数領域リソースによる端末機器との通信の開始時間、第３時間領域リソースおよび／または第３周波数領域リソースによる端末機器との通信の停止時間のうちの少なくとも１つを含む。ネットワーク機器８００が第２時間領域リソースおよび／または第２周波数領域リソースの利用に同意する場合、フィードバック情報は、第１干渉回避指示情報に同意する情報を含む。
【０１０６】
１つの実施例において、ネットワーク機器８００は、干渉回避推奨情報を含むフィードバック情報を第１ネットワーク機器に送信した後に、第１ネットワーク機器から干渉回避推奨情報に基づいて決定した第２干渉回避指示情報であって、第４時間領域リソースおよび／または第４周波数領域リソースのリソース指示情報、セルで端末機器に対応する時間領域リソースおよび／または周波数領域リソースのリソース指示情報のうちの少なくとも１つを含む第２干渉回避指示情報を受信するための第３受信モジュールと、第２干渉回避指示情報に基づき、第４時間領域リソースおよび／または第４周波数領域リソースを利用して端末機器と通信するための第２通信モジュールとをさらに含む。
【０１０７】
１つの実施例において、第１干渉回避指示情報は、第１時間領域リソースおよび／または第１周波数領域リソースのリソース指示情報をさらに含む。
【０１０８】
１つの実施例において、第１干渉回避指示情報は、端末機器が位置するセルの識別情報、端末機器が位置するセルで端末機器に対応する時間領域リソースおよび／または周波数領域リソースのリソース指示情報、第１時間領域リソースおよび／または第１周波数領域リソースによる端末機器との通信の開始時間、第１時間領域リソースおよび／または第１周波数領域リソースによる端末機器との通信の停止時間のうちの少なくとも１つをさらに含む。
【０１０９】
１つの実施例において、ネットワーク機器８００は、第１ネットワーク機器からの回避停止指示情報を受信すると、第１時間領域リソースおよび／または第１周波数領域リソースによる端末機器との通信を停止するための第３通信モジュールをさらに含む。
【０１１０】
本発明の実施例におけるネットワーク機器８００は、図６の方法実施例におけるネットワーク機器８００に実現される各プロセスを実現可能であり、重複を避けるために、ここでは繰り返して記載しない。
【０１１１】
本発明の実施例において、ネットワーク機器８００が、端末機器で自己干渉が生じる場合に第１ネットワーク機器から送信される第１干渉回避指示情報を受信し、さらに第１干渉回避指示情報に基づき、第１時間領域リソースおよび／または第１周波数領域リソースを利用して端末機器と通信できるため、端末の自己干渉問題を効果的に回避して信号伝送品質を高めることができる。
【０１１２】
図９を参照する。図９は、本発明の実施例に応用されるネットワーク機器の構造図であり、上記実施例でネットワーク機器によって実行される信号干渉回避方法の細部を実現可能であり、同一の効果を奏することもできる。図９に示すように、ネットワーク機器９００は、プロセッサ９０１と、トランシーバ９０２と、メモリ９０３と、ユーザインタフェース９０４と、バスインタフェースを含む。ここで、本発明の実施例において、ネットワーク機器９００は、メモリ９０３に格納されてプロセッサ９０１で実行可能なコンピュータプログラムをさらに含む。コンピュータプログラムがプロセッサ９０１によって実行されると、前記第１ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信するステップが実現される。
【０１１３】
図９において、バスアーキテクチャは、任意数の相互接続するバスとブリッジを含み、具体的に、プロセッサ９０１をはじめとする１つ又は複数のプロセッサとメモリ９０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９０２は、複数の部品であってもよく、即ち送信機と受信機を含み、伝送媒体でほかの各種類の装置と通信するユニットとして提供される。ユーザ機器によっては、ユーザインタフェース９０４は、内部接続や外部接続する機器のインタフェースであってもよい。接続する機器は、キーパッド、ディスプレイ、スピーカ、マイクロフォン、ジョイスティックなどを含むが、それらに限られない。
【０１１４】
プロセッサ９０１は、バスアーキテクチャと通常の処理を管理する。メモリ９０３は、プロセッサ９０１による操作実行に使用されるデータを記憶できる。
【０１１５】
選択可能に、コンピュータプログラムがプロセッサ９０３によって実行されると、さらに、前記端末機器で自己干渉が生じる前に、第２時間領域リソースおよび／または第２周波数領域リソースのリソース指示情報を前記第２ネットワーク機器に送信するステップを実現する。
【０１１６】
選択可能に、前記第２時間領域リソースおよび／または第２周波数領域リソースは、前記第１ネットワーク機器で利用可能でかつ第２ネットワーク機器で利用不可のリソース、または、第２ネットワーク機器で利用可能でかつ第１ネットワーク機器で利用不可のリソース、または、前記第１ネットワーク機器と前記第２ネットワーク機器の両方で利用可能なリソースである。
【０１１７】
選択可能に、コンピュータプログラムがプロセッサ９０３によって実行されると、さらに、前記第２ネットワーク機器から前記第１干渉回避指示情報へのフィードバック情報を受信するステップを実現する。ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含む。前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含む。前記第２ネットワーク機器が前記第２時間領域リソースおよび／または第２周波数領域リソースの利用に同意する場合、前記フィードバック情報は、前記第１干渉回避指示情報に同意する情報を含む。
【０１１８】
選択可能に、コンピュータプログラムがプロセッサ９０３によって実行されると、さらに、前記干渉回避推奨情報を受信すると、前記干渉回避推奨情報に基づき、第４時間領域リソースおよび／または第４周波数領域リソースのリソース指示情報、前記端末機器が位置するセルに対応する時間領域リソースおよび／または周波数領域リソースのリソース指示情報のうちの少なくとも１つを含む第２干渉回避指示情報を決定するステップと、前記第２ネットワーク機器が前記第４時間領域リソースおよび／または第４周波数領域リソースによる前記端末機器との通信を決定するための前記第２干渉回避指示情報を前記第２ネットワーク機器に送信するステップとを実現する。
【０１１９】
選択可能に、前記第１干渉回避指示情報は、前記第１時間領域リソースおよび／または第１周波数領域リソースのリソース指示情報をさらに含む。コンピュータプログラムがプロセッサ９０３によって実行されると、さらに、前記第２ネットワーク機器に第１干渉回避指示情報を送信する前に、前記端末機器で自己干渉が生じる場合で前記第２ネットワーク機器に利用される第５時間領域リソースおよび／または第５周波数領域リソースを決定するステップと、前記第５時間領域リソースおよび／または前記第５周波数領域リソースに基づき、前記第１時間領域リソースおよび／または第１周波数領域リソースを決定するステップとを実現する。
【０１２０】
選択可能に、前記第１干渉回避指示情報は、前記端末機器が位置するセルの識別情報、前記セルで前記端末機器に対応する時間領域リソースおよび／または周波数領域リソースのリソース指示情報、前記第１時間領域リソースおよび／または第１周波数領域リソースによる前記端末機器との通信の開始時間、前記第１時間領域リソースおよび／または第１周波数領域リソースによる前記端末機器との通信の停止時間のうちの少なくとも１つをさらに含む。
【０１２１】
選択可能に、コンピュータプログラムがプロセッサ９０３によって実行されると、さらに、前記第２ネットワーク機器に第１干渉回避指示情報を送信した後に、前記端末機器の自己干渉が消滅しまたは弱まると、前記第２ネットワーク機器が前記第１時間領域リソースおよび／または第１周波数領域リソースによる前記端末機器との通信の停止を決定するための回避停止指示情報を前記第２ネットワーク機器に送信するステップを実現する。
【０１２２】
本発明の実施例において、第１ネットワーク機器と第２ネットワーク機器の両方に接続される端末機器で自己干渉が生じる場合、第１ネットワーク機器から第１干渉回避指示情報を第２ネットワーク機器に送信することによって、第２ネットワーク機器が、第１干渉回避指示情報に基づき、第１時間領域リソースおよび／または第１周波数領域リソースによる端末機器との通信を決定することができるため、端末の自己干渉問題を効果的に回避して信号伝送品質を高めることができる。
【０１２３】
図１０を参照する。図１０は、本発明の実施例に応用されるネットワーク機器の構造図であり、上記実施例でネットワーク機器によって実行されるリソース多重化方法の細部を実現可能であり、同一の効果を奏することもできる。図１０に示すように、ネットワーク機器１０００は、プロセッサ１００１と、トランシーバ１００２と、メモリ１００３と、ユーザインタフェース１００４と、バスインタフェースを含む。ここで、本発明の実施例において、ネットワーク機器１０００は、メモリ１００３に格納されてプロセッサ１００１で実行可能なコンピュータプログラムをさらに含む。コンピュータプログラムがプロセッサ１００１によって実行されると、第１ネットワーク機器からの第１干渉回避指示情報であって、前記第１ネットワーク機器と前記第２ネットワーク機器の両方に接続される端末機器で自己干渉が生じる場合に前記第１ネットワーク機器から送信され、前記端末機器の識別情報を含む第１干渉回避指示情報を、受信するステップと、前記第１干渉回避指示情報に基づき、第１時間領域リソースおよび／または第１周波数領域リソースを利用して前記端末機器と通信するステップとを実現する。
【０１２４】
図１０において、バスアーキテクチャは、任意数の相互接続するバスとブリッジを含み、具体的に、プロセッサ１００１をはじめとする１つ又は複数のプロセッサとメモリ１００３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１００２は、複数の部品であってもよく、即ち送信機と受信機を含み、伝送媒体でほかの各種類の装置と通信するユニットとして提供される。ユーザ機器によっては、ユーザインタフェース１００４は、内部接続や外部接続する機器のインタフェースであってもよい。接続する機器は、キーパッド、ディスプレイ、スピーカ、マイクロフォン、ジョイスティックなどを含むが、それらに限られない。
【０１２５】
プロセッサ１００１は、バスアーキテクチャと通常の処理を管理する。メモリ１００３は、プロセッサ１００１による操作実行に使用されるデータを記憶できる。
【０１２６】
選択可能にコンピュータプログラムがプロセッサ１００３によって実行されると、さらに、第１ネットワーク機器からの第１干渉回避指示情報を受信する前に、前記第１ネットワーク機器から送信された前記第２時間領域リソースおよび／または第２周波数領域リソースのリソース指示情報を受信するステップを実現する。
【０１２７】
選択可能に、前記第２時間領域リソースおよび／または第２周波数領域リソースは、前記第１ネットワーク機器で利用可能でかつ第２ネットワーク機器で利用不可のリソース、または、第２ネットワーク機器で利用可能でかつ第１ネットワーク機器で利用不可のリソース、または、前記第１ネットワーク機器と前記第２ネットワーク機器の両方で利用可能なリソースである。
【０１２８】
選択可能に、コンピュータプログラムがプロセッサ１００３によって実行されると、さらに、前記第１ネットワーク機器からの第１干渉回避指示情報を受信した後に、前記第１干渉回避指示情報へのフィードバック情報を前記第１ネットワーク機器に送信するステップを実現する。ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含む。前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含む。前記第２ネットワーク機器が前記第２時間領域リソースおよび／または第２周波数領域リソースの利用に同意する場合、前記フィードバック情報は、前記第１干渉回避指示情報に同意する情報を含む。
【０１２９】
選択可能に、コンピュータプログラムがプロセッサ１００３によって実行されると、さらに、前記干渉回避推奨情報を含むフィードバック情報を前記第１ネットワーク機器に送信した後に、前記第１ネットワーク機器から前記干渉回避推奨情報に基づいて決定した第２干渉回避指示情報であって、第４時間領域リソースおよび／または第４周波数領域リソースのリソース指示情報、前記セルで前記端末機器に対応する時間領域リソースおよび／または周波数領域リソースのリソース指示情報のうちの少なくとも１つを含む第２干渉回避指示情報を受信するステップと、前記第２干渉回避指示情報に基づき、前記第４時間領域リソースおよび／または第４周波数領域リソースを利用して前記端末機器と通信するステップとを実現する。
【０１３０】
選択可能に、前記第１干渉回避指示情報は、前記第１時間領域リソースおよび／または第１周波数領域リソースのリソース指示情報をさらに含む。
【０１３１】
選択可能に、前記第１干渉回避指示情報は、前記端末機器が位置するセルの識別情報、前記セルで前記端末機器に対応する時間領域リソースおよび／または周波数領域リソースのリソース指示情報、前記第１時間領域リソースおよび／または第１周波数領域リソースによる前記端末機器との通信の開始時間、前記第１時間領域リソースおよび／または第１周波数領域リソースによる前記端末機器との通信の停止時間のうちの少なくとも１つをさらに含む。
【０１３２】
選択可能に、コンピュータプログラムがプロセッサ１００３によって実行されると、さらに、前記第１ネットワーク機器からの回避停止指示情報を受信すると、前記第１時間領域リソースおよび／または第１周波数領域リソースによる前記端末機器との通信を停止するステップを実現する。
【０１３３】
本発明の実施例において、第２ネットワーク機器が、端末機器で自己干渉が生じる場合に第１ネットワーク機器から送信される第１干渉回避指示情報を受信し、さらに第１干渉回避指示情報に基づき、第１時間領域リソースおよび／または第１周波数領域リソースを利用して端末機器と通信できるため、端末の自己干渉問題を効果的に回避して信号伝送品質を高めることができる。
【０１３４】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１３５】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０１３６】
以上、本発明の実施例を図面に基づいて記載したが、本発明は、上記の具体的な実施形態に限定されるものではない。上記の具体的な実施形態は、例示的なものであり、限定的なものではない。本開示のヒントを受け、当業者が本開示の趣旨および特許請求の範囲から逸脱することなくなしえる多くの形態は、すべて本開示の保護範囲に含まれる。
【符号の説明】
【０１３７】
710  第１送信モジュール
810  第１受信モジュール
820  第１通信モジュール
900  ネットワーク機器
901  プロセッサ
902  トランシーバ
903  メモリ
904  ユーザインタフェース
1000  ネットワーク機器
1001  プロセッサ
1002  トランシーバ
1003  メモリ
1004  ユーザインタフェース
【図１】
2020537414.tif 000003
【図２】
2020537414.tif 000004
【図３】
2020537414.tif 000005
【図４】
2020537414.tif 000006
【図５】
2020537414.tif 000007
【図６】
2020537414.tif 000008
【図７】
2020537414.tif 000009
【図８】
2020537414.tif 000010
【図９】
2020537414.tif 000011
【図１０】
2020537414.tif 000012
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
第１ネットワーク機器に応用される信号干渉回避方法において、
前記第１ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信することを含む、信号干渉回避方法。
【請求項２】
前記端末機器で自己干渉が生じる前に、第２時間領域リソースおよび／または第２周波数領域リソースのリソース指示情報を前記第２ネットワーク機器に送信することをさらに含む、請求項１に記載の方法。
【請求項３】
前記第２時間領域リソースおよび／または第２周波数領域リソースは、
前記第１ネットワーク機器で利用可能でかつ第２ネットワーク機器で利用不可のリソース、または、
第２ネットワーク機器で利用可能でかつ第１ネットワーク機器で利用不可のリソース、または、
前記第１ネットワーク機器と前記第２ネットワーク機器の両方で利用可能なリソースである、請求項２に記載の方法。
【請求項４】
前記第２ネットワーク機器から前記第１干渉回避指示情報へのフィードバック情報を受信することをさらに含み、
ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含み、
前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含み、
前記第２ネットワーク機器が前記第２時間領域リソースおよび／または第２周波数領域リソースの利用に同意する場合、前記フィードバック情報は、前記第１干渉回避指示情報に同意する情報を含む、請求項３に記載の方法。
【請求項５】
前記干渉回避推奨情報を受信すると、
前記干渉回避推奨情報に基づき、第４時間領域リソースおよび／または第４周波数領域リソースのリソース指示情報、前記端末機器が位置するセルに対応する時間領域リソースおよび／または周波数領域リソースのリソース指示情報のうちの少なくとも１つを含む第２干渉回避指示情報を決定することと、
前記第２ネットワーク機器が前記第４時間領域リソースおよび／または第４周波数領域リソースによる前記端末機器との通信を決定するための前記第２干渉回避指示情報を前記第２ネットワーク機器に送信することとをさらに含む、請求項４に記載の方法。
【請求項６】
前記第１干渉回避指示情報は、前記第１時間領域リソースおよび／または第１周波数領域リソースのリソース指示情報をさらに含み、
前記第２ネットワーク機器に第１干渉回避指示情報を送信する前に、
前記端末機器で自己干渉が生じる場合で前記第２ネットワーク機器に利用される第５時間領域リソースおよび／または第５周波数領域リソースを決定することと、
前記第５時間領域リソースおよび／または前記第５周波数領域リソースに基づき、前記第１時間領域リソースおよび／または第１周波数領域リソースを決定することとをさらに含む、請求項１に記載の方法。
【請求項７】
前記第２ネットワーク機器に第１干渉回避指示情報を送信した後に、
前記端末機器の自己干渉が消滅しまたは弱まると、前記第２ネットワーク機器が前記第１時間領域リソースおよび／または第１周波数領域リソースによる前記端末機器との通信の停止を決定するための回避停止指示情報を前記第２ネットワーク機器に送信することをさらに含む、請求項１に記載の方法。
【請求項８】
第２ネットワーク機器に応用される信号干渉回避方法において、
第１ネットワーク機器からの第１干渉回避指示情報であって、前記第１ネットワーク機器と前記第２ネットワーク機器の両方に接続される端末機器で自己干渉が生じる場合に前記第１ネットワーク機器から送信され、前記端末機器の識別情報を含む第１干渉回避指示情報を、受信することと、
前記第１干渉回避指示情報に基づき、第１時間領域リソースおよび／または第１周波数領域リソースを利用して前記端末機器と通信することとを含む、信号干渉回避方法。
【請求項９】
第１ネットワーク機器からの第１干渉回避指示情報を受信する前に、
前記第１ネットワーク機器から送信された第２時間領域リソースおよび／または第２周波数領域リソースのリソース指示情報を受信することをさらに含む、請求項８に記載の方法。
【請求項１０】
前記第２時間領域リソースおよび／または第２周波数領域リソースは、
前記第１ネットワーク機器で利用可能でかつ第２ネットワーク機器で利用不可のリソース、または、
第２ネットワーク機器で利用可能でかつ第１ネットワーク機器で利用不可のリソース、または、
前記第１ネットワーク機器と前記第２ネットワーク機器の両方で利用可能なリソースである、請求項９に記載の方法。
【請求項１１】
前記第１ネットワーク機器からの第１干渉回避指示情報を受信した後に、
前記第１干渉回避指示情報へのフィードバック情報を前記第１ネットワーク機器に送信することをさらに含み、
ここで、前記第２ネットワーク機器が前記第２時間領域リソースおよび／または第２周波数領域リソースの利用を拒否する場合、前記フィードバック情報は、前記第１干渉回避指示情報を拒否する情報、拒否理由、前記第１干渉回避指示情報とは異なる干渉回避推奨情報のうちの少なくとも１つを含み、
前記干渉回避推奨情報は、前記端末機器の識別情報、前記端末機器が位置するセルの識別情報、前記セルで前記端末機器に対応する時間領域リソースおよび／または周波数領域リソースのリソース指示情報、第３時間領域リソースおよび／または第３周波数領域リソースのリソース指示情報、前記第３時間領域リソースおよび／または第３周波数領域リソースによる前記端末機器との通信の開始時間、前記第３時間領域リソースおよび／または第３周波数領域リソースによる前記端末機器との通信の停止時間のうちの少なくとも１つを含み、
前記第２ネットワーク機器が前記第２時間領域リソースおよび／または第２周波数領域リソースの利用に同意する場合、前記フィードバック情報は、前記第１干渉回避指示情報に同意する情報を含む、請求項１０に記載の方法。
【請求項１２】
前記干渉回避推奨情報を含むフィードバック情報を前記第１ネットワーク機器に送信した後に、
前記第１ネットワーク機器から前記干渉回避推奨情報に基づいて決定した第２干渉回避指示情報であって、第４時間領域リソースおよび／または第４周波数領域リソースのリソース指示情報、前記セルで前記端末機器に対応する時間領域リソースおよび／または周波数領域リソースのリソース指示情報のうちの少なくとも１つを含む第２干渉回避指示情報を受信することと、
前記第２干渉回避指示情報に基づき、前記第４時間領域リソースおよび／または第４周波数領域リソースを利用して前記端末機器と通信することとをさらに含む、請求項１１に記載の方法。
【請求項１３】
前記第１干渉回避指示情報は、前記第１時間領域リソースおよび／または第１周波数領域リソースのリソース指示情報をさらに含む、請求項８に記載の方法。
【請求項１４】
ネットワーク機器であって、
前記ネットワーク機器と第２ネットワーク機器の両方に接続される端末機器で自己干渉が生じる場合、前記端末機器の識別情報を含む第１干渉回避指示情報であって、前記第２ネットワーク機器が第１時間領域リソースおよび／または第１周波数領域リソースによる前記端末機器との通信を決定するための前記第１干渉回避指示情報を、前記第２ネットワーク機器に送信するための第１送信モジュールを含む、ネットワーク機器。
【請求項１５】
ネットワーク機器であって、
第１ネットワーク機器からの第１干渉回避指示情報であって、前記第１ネットワーク機器と前記ネットワーク機器の両方に接続される端末機器で自己干渉が生じる場合に前記第１ネットワーク機器から送信され、前記端末機器の識別情報を含む第１干渉回避指示情報を、受信するための第１受信モジュールと、
前記第１干渉回避指示情報に基づき、第１時間領域リソースおよび／または第１周波数領域リソースを利用して前記端末機器と通信するための第１通信モジュールとを含む、ネットワーク機器。
【国際調査報告】
2020537414.tif 000013
2020537414.tif 000014
2020537414.tif 000015
2020537414.tif 000016